(57)【要約】【課題】目地幅を容易に大きくしたり小さくしたり調整することができるタイルユニット及びその施工方法を提供する。【解決手段】タイルユニット１は、複数枚のタイル２が目地間隙をあけて配列され、これらのタイル２が、各々の裏面に接着されたネット３によって連結されたものである。ネット３は、タイル２，２同士の目地と斜交する糸条のみによって構成されている。ネット３は、最上段及び最下段以外のタイル２にあっては、各タイル２の裏面のうち上下方向の中間付近に接着され、上辺部及び下辺部に対しては非接着となっている。最上段のタイル２においては、ネット３は、各タイル２の裏面のうち各タイル２の上下方向の中間付近及び上辺部に接着されている。最下段のタイル２においては、ネット３は、各タイル２の裏面のうち各タイル２の上下方向の中間付近及び下辺部に接着されている。【選択図】図１
2009221793.tif 000002
【特許請求の範囲】
【請求項１】
複数枚のタイルが目地間隙を介して配列され、
各タイル同士が、それらの裏面に接着されたネットを介して連結されており、
壁面に目地が水平となるように張付施工されるタイルユニットであって、
該ネットは、目地と斜交する糸条のみによって構成されているタイルユニットにおいて、
最上段及び最下段以外のタイルにあっては、前記ネットは、タイル裏面のうち各タイルの上下方向の中間付近においてタイルに接着され、タイルの上辺部及び下辺部に対し非接着となっていることを特徴とするタイルユニット。
【請求項２】
請求項１において、前記糸条と水平目地との交叉角度が３０〜６０°であることを特徴とするタイルユニット。
【請求項３】
請求項１又は２において、
最上段のタイルにあっては、前記ネットは、タイル裏面のうち上辺部と上下方向の中間付近に接着され、下辺部に対し非接着となっており、
最下段のタイルにあっては、前記ネットは、タイル裏面のうち下辺部と上下方向の中間付近に接着され、上辺部に対し非接着となっていることを特徴とするタイルユニット。
【請求項４】
請求項１ないし３のいずれか１項に記載のタイルユニットを壁面に接着剤によって張り付け施工する方法において、
該壁面に接着剤を塗付しておき、該タイルユニットを上側のタイルから順次に、目地幅を調整しながら壁面に押し付けて張り付けることを特徴とするタイルユニットの施工方法。
【発明の詳細な説明】
【技術分野】
【０００１】
本発明は、タイルユニット及びその施工方法に係り、特に施工に際し目地幅を容易に調整することができるタイルユニットと、その施工方法とに関する。
【背景技術】
【０００２】
複数枚のタイルを連結したタイルユニットは、タイルを１枚ずつ張付施工する場合に比べて施工効率が良好である。このタイルユニットとして、タイルの裏面にネットを接着し、該ネットにより各タイルを一体化した目地付きタイルユニットがある（特開平４−３００６８号、特開２００５−２５６４８８号）。
【０００３】
上記特開平４−３００６８のタイルユニットは、ネットが目地と斜交する糸条のみよりなる２軸ネットである。このネットは、タイルの裏面の全体に対して、熱可塑性合成樹脂で接着される。この合成樹脂は、ネットに含浸されたものであり、ネットは熱圧着によってタイルに接着される。
【０００４】
上記特開２００５−２５６４８８のタイルユニットのネットは、屈曲性を有するものである。このネットは、タイルの裏面に塗付された接着剤又は、ネットに塗付された接着剤によってタイル裏面の全体に結着される。
【特許文献１】特開平４−３００６８号
【特許文献２】特開２００５−２５６４８８号
【発明の開示】
【発明が解決しようとする課題】
【０００５】
上記特開平４−３００６８のタイルユニットのネットは、熱可塑性合成樹脂の硬化により剛性が高いものとなっている。そのため、施工に際して目地幅を調整することができない。
【０００６】
上記特開２００５−２５６４８８のタイルユニットは、ネットが屈曲性を有しているため、施工に際し目地幅を手で押し狭めることができる（第０００６，０００７，００１８段落）。しかしながら、ネットがタイル裏面の全体に結着されているため、目地幅を手で押し広げることはできない。
【０００７】
また、目地幅を狭めるように調整する場合であっても、目地幅をかなり狭める場合にあっては、目地の間隙においてネットが盛り上るように変形してしまい、施工不良となってしまうので、目地幅を狭める目地幅調整も、微調整に止まる。
【０００８】
本発明は、上記従来の問題点を解決し、目地幅を容易に大きくしたり小さくしたり調整することができるタイルユニット及びその施工方法を提供することを目的とする。
【課題を解決するための手段】
【０００９】
請求項１のタイルユニットは、複数枚のタイルが目地間隙を介して配列され、各タイル同士が、それらの裏面に接着されたネットを介して連結されており、壁面に目地が水平となるように張付施工されるタイルユニットであって、該ネットは、目地と斜交する糸条のみによって構成されているタイルユニットにおいて、最上段及び最下段以外のタイルにあっては、前記ネットは、タイル裏面のうち各タイルの上下方向の中間付近においてタイルに接着され、タイルの上辺部及び下辺部に対し非接着となっていることを特徴とするものである。
【００１０】
請求項２のタイルユニットは、請求項１において、前記糸条と水平目地との交叉角度が３０〜６０°であることを特徴とするものである。
【００１１】
請求項３のタイルユニットは、請求項１又は２において、最上段のタイルにあっては、前記ネットは、タイル裏面のうち上辺部と上下方向の中間付近に接着され、下辺部に対し非接着となっており、最下段のタイルにあっては、前記ネットは、タイル裏面のうち下辺部と上下方向の中間付近に接着され、上辺部に対し非接着となっていることを特徴とするものである。
【００１２】
請求項４のタイルユニットの施工方法は、請求項１ないし３のいずれか１項に記載のタイルユニットを壁面に接着剤によって張り付け施工する方法において、該壁面に接着剤を塗付しておき、該タイルユニットを上側のタイルから順次に、目地幅を調整しながら壁面に押し付けて張り付けることを特徴とするものである。
【発明の効果】
【００１３】
本発明のタイルユニットにおいては、最上段及び最下段のタイル以外のタイルにあっては、タイルの上辺部及び下辺部にはネットが接着されていない。このため、目地幅を広げたり狭めたりするように力を加えると、ネットのうち目地部に位置する部分だけでなく、このタイル裏面に対面しており、タイルに対しフリーとなっている部分のネットも伸びたり縮んだりする。そのため、このタイルユニットを用いて施工を行うと、目地幅をかなり広げたり、逆にかなり狭めたりするように調整することができる。また、目地幅をかなり狭める場合でも、目地部におけるネットの縮み量は僅かであり、ネットが浮き上ることもない。
【００１４】
請求項２の通り、水平目地と糸条との交叉角度を３０〜６０°とすることにより、ネットが目地幅拡張又は縮小方向に伸縮し易いものとなる。
【００１５】
請求項３のように、最上段のタイルにおいて下辺部とネットとを非接着とし、最下段のタイルにおいて上辺部とネットとを非接着することにより、この最上段及び最下段のタイルに沿う目地の幅の調整もさらに容易となる。
【００１６】
なお、最上段のタイルの上辺部及び最下段のタイルの下辺部にネットを接着すると、この部分でネットの縁がめくれることが防止される。
【発明を実施するための最良の形態】
【００１７】
以下に、図面を参照して本発明の実施の形態に係るタイルユニット及びその施工方法を説明する。
【００１８】
第１図は本発明の実施の形態に係るタイルユニットの裏面図及び側面図、第２図はこのタイルユニットの最上段のタイルの裏面側からの拡大斜視図、第３図はこのタイルユニットの施工方法を示す縦断面図である。なお、第１図において、左側の図がタイルユニットの裏面図であり、右側の図がタイルユニットの側面図である。
【００１９】
以下の説明において、左右方向及び上下方向は、第１図のタイルユニットの裏面図における左右方向及び上下方向と一致する。また、この左右方向及び上下方向は、タイルユニットを壁面に張付施工したときの、該タイルユニットを裏側（壁側）から見た左右方向及び上下方向とも合致する。
【００２０】
このタイルユニット１は、複数枚のタイル２が目地間隙をあけて配列され、これらのタイル２が、各々の裏面に接着されたネット３によって連結されたものである。ネット３は、タイル２，２同士の目地と斜交する糸条のみによって構成されている。このネット３は、最上段及び最下段以外のタイル２にあっては、各タイル２の裏面のうち各タイル２の上下方向の中間付近において接着剤４により各タイル２に接着され、各タイル２の上辺部及び下辺部に対しては非接着となっている。
【００２１】
以下に、このタイルユニット１の各部の構成について詳細に説明する。
【００２２】
この実施の形態では、タイル２は、略長方形平板状のものである。第１図の通り、各タイル２は、各々の長辺方向を左右方向として、該左右方向に多列に且つ上下方向に多段に配列されている。なお、第１図では、タイル２は左右３列×上下５段の配列となっているが、タイル２の配列はこれに限定されない。また、タイル２の向きもこれに限定されない。
【００２３】
各タイル２は、規格品であり、上下方向（即ち短辺方向。以下、同様。）の幅が１５〜６０ｍｍとされ、左右方向（即ち長辺方向。以下、同様。）の幅が４５〜２３０ｍｍとされ、厚さが５〜１８ｍｍとされている。
【００２４】
隣り合うタイル２，２の長辺同士の間及び短辺同士の間にはそれぞれ目地間隙があいている。この隣り合うタイル２，２の長辺同士の間の目地間隙が水平目地となる。この目地間隙の幅は、ネット３に該目地間隙を広げる方向及び狭める方向のいずれにも外力が加えられていない状態（以下、この状態を平常状態という。）において、好ましくは３〜１５ｍｍ、特に好ましくは５〜１０ｍｍとなっている。
【００２５】
この実施の形態では、各タイル２の裏面に、２条の凹条２ｂ，２ｂが形成されている。これらの凹条２ｂ，２ｂは、それぞれ左右方向に延在しており、上下に所定の間隙をあけて配置されている。上側の凹条２ｂは各タイル２の上辺から離隔しており、下側の凹条２ｂは各タイル２の下辺から離隔している。これらの凹条２ｂ，２ｂにより、各タイル２の裏面には、各タイル２の上辺と上側の凹条２ｂとの間、これらの凹条２ｂ，２ｂ同士の間、並びに下側の凹条２ｂと各タイル２の下辺との間に、それぞれ、左右方向に延在する凸条よりなる裏足２ａが形成されている。
【００２６】
各タイル２において、凹条２ｂ，２ｂ同士の間の裏足２ａ（以下、中段の裏足２ａと称することがある。）は、各タイル２の上下方向の中間付近に位置している。
【００２７】
第１図のタイルユニットの裏面図及び第２図に示すように、この実施の形態では、ネット３は、交叉二方向に延在する糸条によって構成された２軸ネットであり、その網目形状は略方形（好ましくは正方形又は菱形）となっている。このネット３は、網目がタイル２，２同士の間の目地間隙を斜めに横切るように配材されてタイル２の配列体の裏面に重ね合わされている。
【００２８】
本発明においては、このネット３は、交叉二方向の一方に延在する糸条と他方に延在する糸条とが左右対称に略等角度にて水平目地と斜交するように配材されていることが好ましい。このネット３の各糸条と水平目地との交叉角度は３０〜６０°、特に４０〜５０°であることが好ましい。
【００２９】
第１図の通り、このネット３は、タイル２の配列体の裏面の略全体を覆う大きさとされており、このネット３の上辺、下辺、左辺及び右辺は、それぞれ、最上段の各タイル２の上辺、最下段の各タイル２の下辺、左端列の各タイル２の左辺、及び右端列の各タイル２の右辺にほぼ沿うようにカットされている。
【００３０】
この実施の形態では、最上段及び最下段以外のタイル２においては、各タイル２の裏面のうち中段の裏足（第１図においてドットを付した裏足）２ａの裏面にのみ接着剤４が付着されており、ネット３は、この中段の裏足２ａにのみ接着され、それよりも上辺側（即ち上側の凹条２ｂ及び上段の裏足２ａ）及び下辺側（即ち下側の凹条２ｂ及び下段の裏足２ａ）に対しては非接着となっている。
【００３１】
また、この実施の形態では、最上段のタイル２においては、各タイル２の裏面のうち、第１図においてそれぞれドットを付した上段の裏足２ａの裏面及び中段の裏足２ａの裏面にのみ接着剤４が付着されており、ネット３は、これらの上段及び中段の各裏足２ａにのみ接着され、それよりも下辺側（即ち下側の凹条２ｂ及び下段の裏足２ａ）に対しては非接着となっている。この最上段のタイル２の上段の裏足２ａには、ネット３の上縁部が接着されている。
【００３２】
さらに、この実施の形態では、最下段のタイル２においては、各タイル２の裏面のうち、第１図においてそれぞれドットを付した下段の裏足２ａの裏面及び中段の裏足２ａの裏面にのみ接着剤４が付着されており、ネット３は、これらの下段及び中段の各裏足２ａにのみ接着され、それよりも上辺側（即ち上側の凹条２ｂ及び上段の裏足２ａ）に対しては非接着となっている。この最下段のタイル２の下段の裏足２ａには、ネット３の下縁部が接着されている。
【００３３】
なお、接着剤４は、ネット３を接着すべき裏足２ａの裏面の略全体に塗布されていてもよく、第２図のように、ネット３を接着すべき裏足２ａのうち該ネット３の各糸条が重なった部分にのみ付着されていてもよい。ネット３を接着すべき裏足２ａの上下幅が大きいときには、同一の裏足２ａの裏面において上下に位置を異ならせて２箇所以上にてネット３が接着されてもよい。
【００３４】
従って、このタイルユニット１にあっては、ネット３のうち目地に露出した部分だけでなく、さらに、最上段及び最下段以外のタイル２においては各タイル２の中段の裏足２ａよりも上辺側及び下辺側のネット３がその伸縮に寄与し、最上段のタイル２においては各タイル２の中段の裏足２ａよりも下辺側のネット３がその伸縮に寄与し、最下段のタイル２においては各タイルの中段の裏足２ａよりも上辺側のネット３がその伸縮に寄与しうるようになっている。
【００３５】
本発明においては、ネット３は、目地の幅を平常状態から１〜８ｍｍ、特に３〜５ｍｍ広げたり狭めたりすることができるように構成されていることが好ましい。
【００３６】
このネット３の材質としては、ポリエチレン、ポリプロピレン、ポリエステルなどの化学繊維が好適である。
【００３７】
このネット３の糸条の太さは、材質にもよるが、一般に０．５〜５ｍｍ、特に１〜３ｍｍであることが好ましい。
【００３８】
このネット３の略方形の網目の一辺の長さは１８〜４０ｍｍ、特に２０〜３０ｍｍであることが好ましい。この網目の一辺の長さが１８ｍｍよりも短いと、ネット３が伸び縮みしにくいものとなる。また、この網目の一辺の長さが４０ｍｍよりも長いと、各タイル２におけるネット３の接着点の数が少なくなり、施工時にタイルユニット１を持ち上げたときにタイル２がグラつき易くなる。このネット３の網目の大きさは、各タイル２におけるネット３の接着点の数（ネット３を接着すべき同一の裏足２ａを横切る糸条及び糸条同士の交叉部分の数）が２〜５個、特に２〜３個となるように決定されることが好ましい。
【００３９】
本発明においては、ネット３はその糸条同士の交叉部分又はその近傍が各タイル２に接着されていることが好ましい。これにより、ネット３の各タイル２に対する接着が点接着となり、この接着点がヒンジのように作用するようになるため、ネット３をタイル２に接着したことによりネット３の伸縮機能が損なわれることが防止ないし緩和される。
【００４０】
次に、このように構成されたタイルユニット１の施工方法について説明する。
【００４１】
まず、このタイルユニット１が施工される壁面５の上下幅を計る。そして、タイルユニット１のタイル２を途中でカットしたり、タイルユニット１の上下に切物タイルを継ぎ足したりしなくても、タイルユニット１を壁面５の全体に略均等に分布させることができる目地幅を算出する。
【００４２】
次に、壁面５に接着剤６を塗布した後、第３図のように、タイルユニット１の最上段のタイル２から順次にタイル２を壁面５に押し付けて張り付けていく。この際、最上段のタイル２を張り付けた後、目地幅が予め算出しておいた幅となるように、ネット３を引き伸ばしたり押し縮めたりしながら２段目のタイル２を張り付ける。その後、３段目以降のタイル２も、２段目と同様にして目地幅を調整しながら壁面５に張り付けていく。
【００４３】
最下段のタイル２まで張り付けた後、接着剤６が硬化することにより、タイルユニット１の壁面５への張付施工が完了する。
【００４４】
このタイルユニット１にあっては、上記の通り、最上段及び最下段以外のタイル２においては、各タイル２の中段の裏足２ａよりも上辺側及び下辺側にはネット３が接着されておらず、最上段のタイル２においては、各タイル２の中段の裏足２ａよりも下辺側にはネット３が接着されておらず、最下段のタイル２においては、各タイル２の中段の裏足２ａよりも上辺側にはネット３が接着されていない。このため、目地幅を広げたり狭めたりするように力を加えると、ネット３のうち目地に位置する部分だけでなく、各タイル２の裏面に対面する、フリーとなっている部分のネット３も伸びたり縮んだりする。
【００４５】
そのため、このタイルユニット１を施工すると、目地の幅をかなり広げたり、逆にかなり狭めたりするように調整することができる。また、目地の幅をかなり狭めた場合でも、この目地内におけるネット３の縮み量は僅かであり、目地内においてネット３が浮き上ることもない。
【００４６】
この実施の形態では、水平目地とネット３の各糸条との交叉角度を３０〜６０°としているので、ネット３が目地拡張方向及び縮小方向に伸縮し易いものとなっている。
【００４７】
この実施の形態では、最上段のタイル２の上段の裏足２ａにネット３の上縁部が接着されると共に、最下段のタイル２の下段の裏足２ａにネット３の下縁部が接着されているので、ネット３の上縁部及び下縁部がタイル２の裏側からめくれることが防止される。
【００４８】
この実施の形態では、各タイル２の裏面に、上下に間隔をあけて２条の凹条２ｂ，２ｂを形成することにより、それぞれ凸条よりなる上段、中段、下段の３条の裏足２ａを形成している。このように構成されたタイル２にあっては、ネット３を接着すべき裏足２ａの裏面に接着剤４を塗布する際に、接着剤４がこの裏足２ａからはみ出しても、このはみ出した接着剤４は凹条２ｂに入り込む。そのため、ネット３は、このネット３を接着すべき裏足２ａにのみ接着され、他の裏足２ａには接着されない。これにより、容易に且つ確実にネット３が各タイル２の裏面のうち所定の裏足２ａにのみ接着されたタイルユニット１を製造することができる。
【００４９】
なお、各タイル２の裏面の裏足２ａ及び凹条２ｂは省略されてもよい。
【００５０】
第４図は、裏面に裏足２ａが設けられていないタイルを用いたタイルユニットの裏面図及び側面図である。なお、第４図において、左側の図がタイルユニットの裏面図であり、右側の図がタイルユニットの側面図である。
【００５１】
この第４図のタイルユニット１Ａに用いられているタイル２Ａは、裏面に裏足２ａ及び凹条２ｂが形成されておらず、裏面が一様な平坦面となっている。
【００５２】
この実施の形態でも、第４図の通り、タイル２Ａは略長方形平板状の規格品であり、複数枚のタイル２Ａが、各々の長辺方向を左右方向として、該左右方向に多列に且つ上下方向に多段に配列されている。この実施の形態でも、隣り合うタイル２Ａ，２Ａの長辺同士の間が水平目地となる。なお、第４図では、タイル２Ａは左右３列×上下６段の配列となっているが、タイル２Ａの配列はこれに限定されない。また、タイル２Ａの向きもこれに限定されない。
【００５３】
この実施の形態でも、ネット３は、交叉二方向に延在する糸条によって構成された２軸ネットであり、その網目がタイル２Ａ，２Ａ間の水平目地を斜めに横切るように配材されてタイル２Ａの配列体の裏側に重ね合わされている。
【００５４】
そして、この実施の形態でも、最上段及び最下段以外のタイル２Ａにあっては、ネット３は、各タイル２Ａの裏面のうち上下方向の中間付近にのみ接着され、上辺部及び下辺部に対しては非接着となっている。また、最上段のタイル２Ａにおいては、ネット３は、各タイル２Ａの裏面のうち各タイル２Ａの上下方向の中間付近及び上辺部にのみ接着され、下辺部に対しては非接着となっている。さらに、最下段のタイル２Ａにおいては、ネット３は、各タイル２Ａの裏面のうち各タイル２Ａの上下方向の中間付近及び下辺部にのみ接着され、上辺部に対しては非接着となっている。
【００５５】
第４図の通り、この実施の形態では、ネット３は、可能な限り、その糸条同士の交叉部が各タイル２Ａの裏面の上下方向の中間付近に位置するように配材され、各交叉部又はその付近がそれぞれ接着剤４により各タイル２Ａに接着されている。これにより、前述のように、ネット３の各タイル２Ａに対する接着が点接着となり、この接着点がヒンジのように作用するようになるため、ネット３をタイル２Ａに接着したことによりネット３の伸縮機能が損なわれることが防止ないし緩和される。
【００５６】
また、ネット３は、最上段のタイル２Ａにあっては、各タイル２Ａの裏面の上辺付近にも、可能な限り、その糸条同士の交叉部が位置するように配材され、該交叉部又はその付近が接着剤４により最上段のタイル２Ａの上辺付近に接着されている。さらに、ネット３は、最下段のタイル２Ａにあっては、各タイル２Ａの裏面の下辺付近にも、可能な限り、その糸条同士の交叉部が位置するように配材され、該交叉部又はその付近が接着剤４により最下段のタイル２Ａの下辺付近に接着されている。このようにすることにより、ネット３の上縁部及び下縁部の各タイル２Ａに対する接着点の数を少なくすることができ、接着剤４の節約や、ネット３の接着工程の簡略化を図ることができる。
【００５７】
この実施の形態では、接着剤４は、糸条同士の交叉部又はその付近にのみ付着されているが、第１図と同様に、各タイル２Ａの裏面に左右方向に帯状に塗布されてもよい。
【００５８】
このタイルユニット１Ａのその他の構成及び各部の好ましい寸法等は、第１〜３図のタイルユニット１と同様である。第４図において第１〜３図と同一符号は同一部分を示している。また、このタイルユニット１Ａの施工手順も、タイルユニット１と同様である。
【００５９】
このように裏面が一様な平坦面となっているタイル２Ａにより構成されたタイルユニット１Ａにあっては、第３図のように壁面５に接着剤６を塗布してタイルユニット１Ａを張付施工する場合、各タイル２Ａを壁面５に押し付けて接着したときに、ネット３の網目を通して各タイル２Ａの裏面の略全体に万遍なく接着剤６が付着するため、接着強度が高いものとなる。
【００６０】
上記実施の形態は本発明の一例を示すものであり、本発明は図示の構成に限定されない。
【００６１】
例えば、タイルユニットを構成するタイルの形状は、略長方形平板状に限定されない。
【図面の簡単な説明】
【００６２】
【図１】実施の形態に係るタイルユニットの裏面図及び側面図である。
【図２】図１のタイルユニットの最上段のタイルの裏面側からの拡大斜視図である。
【図３】図１のタイルユニットの施工方法を示す縦断面図である
【図４】実施の形態に係るタイルユニットの裏面図及び側面図である。
【符号の説明】
【００６３】
１，１Ａ  タイルユニット
２，２Ａ  タイル
２ａ  裏足
２ｂ  凹条
３  ネット
４  接着剤
５  壁面
６  接着剤
【図１】
2009221793.tif 000003
【図２】
2009221793.tif 000004
【図３】
2009221793.tif 000005
【図４】
2009221793.tif 000006